(57)【要約】【課題】本発明は、植物を栽培する際の給水作業を省力化できる自動給水機能付き栽培装置を提供することを目的とする。【解決手段】密閉した貯水用空間１４を有する装置本体１０の外側面に給水槽１８を設け、給気管２０の一端部を前記装置本体１０の側壁に設けた給気孔１２ａを介して前記給水槽１８に連通し、かつ、その他端部を前記貯水用空間１４内で開放するとともに、前記給水槽１８に連通する給水孔１２ｂを前記装置本体側壁の前記給気孔１２ａよりも低い位置に設ける一方、栽培用空間１５を有する栽培容器４０の底面に前記給水槽１８から水を供給される貯水槽４２を設け、前記貯水槽４２の上方に充填した植物栽培用土壌３９に給水ヒモ３５を介して前記貯水槽４２から毛細管現象で給水する。【選択図】図５
2006197946.tif 000002
【特許請求の範囲】
【請求項１】
密閉した貯水用空間を有する装置本体の外側面に給水槽を設け、給気管の一端部を前記装置本体の側壁に設けた給気孔を介して前記給水槽に連通し、かつ、その他端部を前記貯水用空間内で開放するとともに、前記給水槽に連通する給水孔を前記装置本体側壁の前記給気孔よりも低い位置に設ける一方、栽培用空間を有する栽培容器の底面に前記給水槽から水を供給される貯水槽を設け、前記貯水槽の上方に充填した植物栽培用土壌に給水手段を介して前記貯水槽から毛細管現象で給水することを特徴とする自動給水機能付き栽培装置。
【請求項２】
装置本体の密閉した貯水用空間の底面に設けた隔壁で給水槽を形成し、前記給水槽を空気管を介して外気と連通する一方、給気管の一端部を前記隔壁の側壁に設けた給気孔を介して前記給水槽に連通し、かつ、その他端部を前記貯水用空間の上方で開放する一方、前記給水槽に連通する給水孔を前記給気孔よりも低い位置に設け、さらに、栽培用空間を有する栽培容器の底面に、前記給気孔よりも低い位置に設けた前記隔壁側壁の排水孔および前記装置本体側壁の排水孔を連通する給水管を介して前記給水槽から水を供給される貯水槽を設け、前記貯水槽の上方に充填した植物栽培用土壌に給水手段を介して前記貯水槽から毛細管現象で給水することを特徴とする自動給水機能付き栽培装置。
【請求項３】
密閉した貯水用空間を有する装置本体の外側面に給水槽を設け、前記装置本体の側壁に設けた給気孔を介して前記給水槽に連通し、前記給水槽に連通する給水孔を前記装置本体側壁の前記給気孔よりも低い位置に設ける一方、栽培用空間を有する栽培容器の底面に前記給水槽から水を供給される貯水槽を設け、前記貯水槽の上方に充填した植物栽培用土壌に給水手段を介して前記貯水槽から毛細管現象で給水することを特徴とする自動給水機能付き栽培装置。
【請求項４】
装置本体の密閉した貯水用空間の底面に設けた隔壁で給水槽を形成し、前記給水槽を空気管を介して外気と連通する一方、前記隔壁の側壁に設けた給気孔を介して前記給水槽に連通する一方、前記給水槽に連通する給水孔を前記給気孔よりも低い位置に設け、さらに、栽培用空間を有する栽培容器の底面に、前記給気孔よりも低い位置に設けた前記隔壁側壁の排水孔および前記装置本体側壁の排水孔を連通する給水管を介して前記給水槽から水を供給される貯水槽を設け、前記貯水槽の上方に充填した植物栽培用土壌に給水手段を介して前記貯水槽から毛細管現象で給水することを特徴とする自動給水機能付き栽培装置。
【請求項５】
給水手段が、両端部を除く中間部を不透水性フィルムで被覆した給水ヒモであることを特徴とする請求項１ないし４のいずれか１項に記載の自動給水機能付き栽培装置。
【発明の詳細な説明】
【技術分野】
【０００１】
本発明は、自動給水機能付き栽培装置に関する。
【背景技術】
【０００２】
従来、鉢植え植物等の栽培は一般家庭でも広く行われ、給水の重要性が広く知られている（例えば、非特許文献１参照。）。
【０００３】
【非特許文献１】室谷優ニ著，「鉢花・草花  ２１７のトラブル解決法」，      家の光協会，平成８年３月１日，Ｐ．１６
【発明の開示】
【発明が解決しようとする課題】
【０００４】
しかしながら、前述の栽培方法では、鉢植えした植物等に定期的に給水する必要があり、特に、夏季には毎日、給水する必要があるので、手間がかかるという問題点があった。
【０００５】
本発明にかかる自動給水機能付き栽培装置は、前記問題点に鑑み、植物を栽培する際の給水作業を省力化することを目的とする。
【課題を解決するための手段および発明の効果】
【０００６】
本発明にかかる自動給水機能付き栽培装置は、前記目的を達成すべく、密閉した貯水用空間を有する装置本体の外側面に給水槽を設け、給気管の一端部を前記装置本体の側壁に設けた給気孔を介して前記給水槽に連通し、かつ、その他端部を前記貯水用空間内で開放するとともに、前記給水槽に連通する給水孔を前記装置本体側壁の前記給気孔よりも低い位置に設ける一方、栽培用空間を有する栽培容器の底面に前記給水槽から水を供給される貯水槽を設け、前記貯水槽の上方に充填した植物栽培用土壌に給水手段を介して前記貯水槽から毛細管現象で給水する構成としてある。
【０００７】
他の発明にかかる自動給水機能付き栽培装置は、装置本体の密閉した貯水用空間の底面に設けた隔壁で給水槽を形成し、前記給水槽を空気管を介して外気と連通する一方、給気管の一端部を前記隔壁の側壁に設けた給気孔を介して前記給水槽に連通し、かつ、その他端部を前記貯水用空間の上方で開放する一方、前記給水槽に連通する給水孔を前記給気孔よりも低い位置に設け、さらに、栽培用空間を有する栽培容器の底面に、前記給気孔よりも低い位置に設けた前記隔壁側壁の排水孔および前記装置本体側壁の排水孔を連通する給水管を介して前記給水槽から水を供給される貯水槽を設け、前記貯水槽の上方に充填した植物栽培用土壌に給水手段を介して前記貯水槽から毛細管現象で給水する構成としてある。
【０００８】
いずれの発明も、貯水用空間内に貯えた水を給水槽から貯水槽および給水手段を介して植物栽培用土壌に毛細管現象で自動的に給水できるので、毎日、植物に給水する必要がなくなり、手間を省くことができる。特に、貯水用空間を有する装置本体と栽培用空間を有する栽培容器とを分離できるので、種々の栽培形態を選択でき、大型の栽培装置に適用しやすい。
【０００９】
別の発明にかかる自動給水機能付き栽培装置は、密閉した貯水用空間を有する装置本体の外側面に給水槽を設け、前記装置本体の側壁に設けた給気孔を介して前記給水槽に連通し、前記給水槽に連通する給水孔を前記装置本体側壁の前記給気孔よりも低い位置に設ける一方、栽培用空間を有する栽培容器の底面に前記給水槽から水を供給される貯水槽を設け、前記貯水槽の上方に充填した植物栽培用土壌に給水手段を介して前記貯水槽から毛細管現象で給水する構成としてある。
【００１０】
異なる発明にかかる自動給水機能付き栽培装置は、装置本体の密閉した貯水用空間の底面に設けた隔壁で給水槽を形成し、前記給水槽を空気管を介して外気と連通する一方、前記隔壁の側壁に設けた給気孔を介して前記給水槽に連通する一方、前記給水槽に連通する給水孔を前記給気孔よりも低い位置に設け、さらに、栽培用空間を有する栽培容器の底面に、前記給気孔よりも低い位置に設けた前記隔壁側壁の排水孔および前記装置本体側壁の排水孔を連通する給水管を介して前記給水槽から水を供給される貯水槽を設け、前記貯水槽の上方に充填した植物栽培用土壌に給水手段を介して前記貯水槽から毛細管現象で給水する構成であってもよい。
【００１１】
前述の発明によれば、給水の手間を省くなどの前述の効果に加え、給気管を配置する必要がないので、部品点数、組立工数が少なくなるとともに、動作不良となるおそれが少なくなる。
【００１２】
好ましい実施形態としては、給水手段が、両端部を除く中間部を不透水性フィルムで被覆した給水ヒモであってもよい。
本実施形態によれば、給水ヒモの中間部を不透水性シートで被覆してあるので、水が途中で漏れることがなく、所望の位置に給水できるという効果がある。
【発明を実施するための最良の形態】
【００１３】
本発明にかかる実施形態を図１ないし図１３の添付図面に従って説明する。
本発明にかかる第１実施形態は、図１に示すように、装置本体１０と、底上げ板３０と、給水ヒモ３５とからなるものである。
【００１４】
前記装置本体１０は、底板１１に方形の外枠１２を一体化したものであり、その内部に仕切壁１３を取り付けることにより、貯水用空間１４と栽培用空間１５とを分割してある。前記貯水用空間１４の上方は止栓１６ａを備えた蓋体１６で密閉されている。
【００１５】
前記栽培用空間１５の底面隅部には前記仕切壁１３と平行に幕板１７が固定され、給水槽１８が形成されている。そして、前記仕切壁１３の下方側に設けた給気孔１３ａには給気管２０の下端部２０ａが挿入され、前記給水槽１８に連通しているとともに、前記給気管２０の他端部２０ｂは貯水用空間１４の上方で開口している。さらに、前記仕切壁１３の給気孔１３ａよりも一段低い位置に給水孔１３ｂが形成されている。
【００１６】
さらに、前記栽培用空間１５には、前記幕板１７よりも高い脚板３１を底面に方形に配置した底上げ板３０が収納されている。この底上げ板３０には後述する給水ヒモ３５を挿入できる挿入孔３２が形成されている。前記給水ヒモ３５は不織布を棒状に丸めたものであり、その中間部に不透水性樹脂フイルム３６を巻き付けて被覆することにより、その両端部から不織布が露出している。また、前記給水ヒモ３５は、筒状の不透水性フィルム内に挿入して被覆しておいてもよい。
【００１７】
前記給水ヒモ３５は、その一端部３７が給水槽１８に浸漬されている一方、その他端部３８が栽培用空間１５内に充填された栽培用土壌３９に埋め込まれている。前記栽培用土壌３９は植物の栽培に適した保水性等を備えたものであればよく、例えば、タネ専用培土（株式会社サカタ  スーパーミックスＡ）、赤玉土（製造元  コトヒラ  Ｎｏ．１１４）が挙げられる。
【００１８】
したがって、貯水用空間１４に蓄えられた水２１は仕切壁１３の給水孔１３ｂを介して給水槽１８に供給される。そして、給水槽１８の水位が上昇し、水が給気管２０の下端部２０ａの開口部を閉鎖すると、貯水用空間１４への給気が停止する。そして、給水ヒモ３５の毛細管現象を利用して栽培用空間１５の土壌３９に給水し、給水槽１８の水位が低下して給気管２０の下端部２０ａが露出すると、前記下端部２０ａから空気が貯水用空間１４内に流入し、貯水用空間１４内の内気圧と外気圧とがバランスを保つまで、貯水用空間１４内の水２１が給水槽１８に流入し、前記下端部２０ａを閉鎖することにより、水２１の流入が停止する。以後、同様な水位調整を自動的に繰り返すことにより、栽培用空間１５内に長期間、自動的に給水できる。
【００１９】
第２実施形態は、図２および図３に示すように、装置本体１０と、底上げ板３０と、給水ヒモ３５とからなるものである。
【００２０】
前記装置本体１０は、その底板１１に大方形の外枠１２を一体化するとともに、小方形の内枠からなる仕切壁１３を一体化することにより、貯水用空間１４と栽培用空間１５とに分割してある。前記貯水用空間１４の上方は止栓１６ａを備えた平面ロ字形状の蓋体１６で密閉されている。そして、前記栽培用空間１５の底面隅部には前記仕切壁１３の３面と平行に幕板１７が固定され、略コ字形の給水槽１８が形成されている。さらに、前記仕切壁１３の下方側に設けた給気孔１３ａには給気管２０の下端部２０ａが挿入され、前記給水槽１８に連通しているとともに、前記給気管２０の他端部２０ｂは貯水用空間１４の上方で開口している。さらに、前記仕切壁１３の給気孔１３ａよりも一段低い位置に給水孔１３ｂが形成されている。
【００２１】
一方、前記栽培用空間１５には、前記幕板１７よりも高い脚板３１を底面に方形に配置した底上げ板３０が収納されている。この底上げ板３０には給水ヒモ３５を挿入できる挿入孔３２が設けられている。前記給水ヒモ３５は前述の第１実施形態と同様であるので、同一部分に同一番号を附して説明を省略する。
【００２２】
そして、給水ヒモ３５は、その下端部３７が給水槽１８に浸漬されている一方、その上端部３８が栽培用空間１５内に充填された栽培土壌３９に埋め込まれている（図３）。
【００２３】
したがって、貯水用空間１４に蓄えられた水２１は仕切壁１３の給水孔１３ｂを介して給水槽１８に供給される。そして、給水槽１８の水位が上昇し、水が給気管２０の下端部２０ａを閉鎖すると、貯水用空間１４内への給気が停止する。そして、給水ヒモ３５の毛細管現象を利用して栽培用空間１５内に給水し、給水槽１８の水位が低下して給気管２０の下端部２０ａが露出すると、空気が流入して貯水用空間１４内に流入する。このため、貯水用空間１４内の内気圧と外気圧とがバランスを保つまで、貯水用空間１４内の水２１が給水孔１３ｂを介して給水槽１８に流入し、前記下端部２０ａを閉鎖することにより、水２１の流入が停止する。以後、同様な水位調整を自動的に繰り返すことにより、栽培用空間１４内に長期間、自動的に給水できる。
【００２４】
第３実施形態は、図４に示すように、すり鉢状装置本体１０と、底上げ板３０と、給水ヒモ３５とからなるものである。
【００２５】
前記すり鉢状装置本体１０は、大径のすり鉢状外枠１２に小径のすり鉢状内枠からなる仕切壁１３を組み付けて一体化することにより、環状の貯水用空間１４と栽培用空間１５とを分割したものである。前記貯水用空間１４の上方は止栓１６ａを備えた環状の蓋体１６で密閉されている。さらに、前記仕切壁１３の底面中央部には膨出部１３ｃが形成されており、仕切壁１３の内側面と前記膨出部１３ｃとで環状の給水槽１８が形成されている。そして、前記仕切壁１３の下方側に設けられた前記給水槽１８に連通する給気孔１３ａには給気管２０の下端部２０ａが嵌合する一方、前記給気管２０の上端部は貯水用空間１４の上方で開口している。さらに、前記仕切壁１３の給気孔１３ａよりも一段低い位置に前記給水槽１８に連通する給水孔１３ｂが形成されている。
【００２６】
一方、前記栽培用空間１４の底面中央部から膨出する膨出部１３ｃに、底上げ板３０が載置され、栽培用土壌３９が投入されている。前記底上げ板３０には給水ヒモ３５を挿入できる挿入孔３２が設けられている。前記給水ヒモ３５は前述の実施例と同様であるので、同一部分に同一番号を附して説明を省略する。そして、前記給水ヒモ３５は、その下端部３７が給水槽１８に浸漬されている一方、その上端部３８が栽培空間１５内に充填された栽培土壌３９に埋め込まれている。
【００２７】
前記仕切壁１３は、その内側面に沿って帯状の止水栓２２がスライド可能に取り付けられ、その下端部が給水孔１３ｂを開閉可能となっている。
【００２８】
したがって、貯水用空間１４に蓄えられた水２１は仕切壁１３の給水孔１３ｂを介して給水槽１８に供給される。そして、給水槽１８の水位が上昇し、給気管２０の下端部２０ａを閉じることにより、貯水用空間１４内への給気が停止する。そして、給水ヒモ３５の毛細管現象を利用して栽培用空間１５の土壌３９に給水し、給水槽１８の水位が低下して給気管２０の下端部２０ａが露出すると、空気が貯水用空間１４内に流入する。このため、貯水用空間１４内の内気圧と外気圧とがバランスを保つまで、貯水用空間１４内の水が給水槽１８に流入し、前記下端部２０ａを閉鎖することにより、水２１の流入が停止する。以後、同様な水位調整を自動的に繰り返すことにより、栽培用空間１５内に長期間、自動的に給水する。
【００２９】
そして、貯水用空間１４内の水２１が減少した場合には、止水栓２２をスライドさせて給水孔１３ｂを閉鎖した後、蓋体１６から止栓１６ａを外して給水する。そして、止栓１６ａを蓋体１６に装着して貯水用空間１４を密閉した後、止水栓２２をスライドさせて給水孔１３ｂを開放する。
【００３０】
本実施形態によれば、貯水用空間１４内に給水する場合に、給水孔１３ｂを一時的に閉鎖して給水できるので、外部からの給水中に給水槽１８から水が溢れ出ることがなく、余裕をもって給水作業を行うことができるという利点がある。
【００３１】
第４実施形態は、図５に示すように、分離した装置本体１０と栽培容器４０とを給水管２３で接続した場合である。
すなわち、前記装置本体１０は、底板１１に外枠１２を一体化して貯水用空間１４を形成してある。そして、前記貯水用空間１４の上方は止栓１６ａを備えた蓋体１６で密閉されている。
【００３２】
さらに、前記装置本体１０は、その外側面隅部に設けた隔壁１９によって給水槽１８が形成されている。さらに、前記外枠１２の下方側に設けた給気孔１２ａには給気管２０の下端部２０ａが挿入され、かつ、前記給水槽１８に連通しているとともに、前記給気管２０の他端部２０ｂは貯水用空間１４の上方で開口している。さらに、前記外枠１２の給気孔１２ａよりも一段低い位置に給水孔１２ｂが形成されている。
【００３３】
前記給水槽１８は隔壁１９によって外部空間から隔離されているが、空気管２４を介して外気と連通している。前記空気管２４には開閉弁２４ａが取りつけられている。さらに、前記隔壁１９の排水孔１９ａに接続された前記給水管２３が複数台の栽培容器４０にそれぞれ接続されている。
【００３４】
前記栽培容器４０は、仕切板４１で貯水槽４２と栽培空間４３とに上下に仕切られている。そして、前記仕切板４１に挿通された給水ヒモ３５を介して貯水槽４２の水が栽培空間４３内に充填された栽培用土壌４４に毛細管現象で給水される。前記給水ヒモ３５は、前述の実施形態と同様、不織布を棒状に丸めたものであり、その中間部に不透水性樹脂フイルム３６を巻き付けて被覆することにより、その両端部から不織布が露出している。
【００３５】
前記給水ヒモ３５は、その一端部が貯水槽４２に浸漬されている一方、その他端部が栽培用空間１５内に充填された栽培用土壌４４に埋め込まれている。前記栽培用土壌４４は前述の実施形態と同様であってもよい。
【００３６】
したがって、貯水用空間１４に蓄えられた水２１は外枠１２の給水孔１２ｂを介して給水槽１８に供給される。そして、給水槽１８の水位が上昇し、水が給気管２０の下端部２０ａの開口部を閉鎖すると、貯水用空間１４への給気が停止する。ついで、栽培容器４０が給水ヒモ３５の毛細管現象を利用して栽培用空間４３の土壌４４に給水し、貯水槽４２の水位が低下すると、給水管２３を介して水が貯水槽４２に給水される。そして、給水槽１８の水位が低下して給気管２０の下端部２０ａが露出すると、前記下端部２０ａから空気が貯水用空間１４内に流入し、貯水用空間１４内の内気圧と外気圧とがバランスを保つまで、貯水用空間１４内の水２１が給水槽１８に流入し、前記下端部２０ａを閉鎖することにより、水２１の流入が停止する。以後、同様な水位調整を自動的に繰り返すことにより、栽培容器４０の栽培用空間４３に長期間、自動的に給水できる。
【００３７】
なお、第４実施形態では、給水管２３および空気管２４に開閉弁２３ａおよび開閉弁２４ａがそれぞれ設けられている。これは、貯水用空間１４内に水を補給する間に、給水槽１８から水が溢れ出ないようにするためである。
また、複数台の栽培容器４０が給水管２３を介して接続されているが、各栽培容器４０の貯水槽４２の水位と、給水槽１８の水位とは同一高さになるように配置されている。
【００３８】
第５実施形態は、図６に示すように、前述の第４実施形態と同様、装置本体１０と栽培容器４０ａ，４０ｂ，４０ｃとを分離する点において共通している。ただし、第５実施形態は、装置本体１０に複数の栽培容器４０ａ，４０ｂ，４０ｃを直列に接続するとともに、前記装置本体１０の貯水用空間１４内に給水槽１８を設けた点において相違する。
【００３９】
前記装置本体１０は、底板１１に環状外枠１２を一体化して貯水用空間１４を形成してある。さらに、前記貯水用空間１４の上方は止栓１６ａを備えた蓋体１６で密閉されている。また、前記貯水用空間１４の底面に設けた隔壁１９によって給水槽１８が前記貯水用空間１４から仕切られている。そして、前記隔壁１９の下方側に設けた排水孔１９ａには給水管２３ａの一端が挿入されている一方、その他端が外枠１２の排水孔１２ｃに挿入され、栽培容器４０ａに連通している。また、前記隔壁１９の排水孔１９ａよりも一段高い位置に給気孔１９ｂが設けられ、これに給気管２０の下端部２０ａが挿入されている一方、前記給気管２０の他端部２０ｂが貯水用空間１４の上方で開口している。さらに、前記隔壁１９の給気孔１９ｂよりも低い位置に給水孔１９ｃが形成されている。
【００４０】
前記給水槽１８は前記隔壁１９によって前記貯水用空間１４から完全に仕切られているが、空気管２４を介して外気と連通している。なお、前記空気管２４には第４実施形態のように開閉弁を取り付けておいてもよい。さらに、前記隔壁１９の排水孔１９ａおよび環状外枠１２の排水孔１２ｃに挿通された前記給水管２３ａが栽培容器４０ａの貯水槽４２に連通している。
【００４１】
前記栽培容器４０ａ，４０ｂ，４０ｃはいずれも、仕切板４１で貯水槽４２と栽培空間４３とに上下に仕切られている。そして、前記仕切板４１に挿通された前記給水ヒモ３５は、その一端部が貯水槽４２に浸漬されている一方、その他端部が栽培用空間１５内に充填された栽培用土壌４４に埋め込まれている。このため、前記給水ヒモ３５を介して貯水槽４２の水が栽培空間４３内に充填された栽培用土壌４４に毛細管現象で給水される。前記給水ヒモ３５は、前述の実施形態と同様、不織布を棒状に丸めたものであり、その中間部に不透水性樹脂フイルム３６を巻き付けて被覆することにより、その両端部から前記不織布が露出している。なお、前記栽培用土壌４４は前述の実施形態と同一であってもよい。
【００４２】
したがって、貯水用空間１４に蓄えられた水２１は前記隔壁１９の給水孔１９ｃを介して給水槽１８に供給される。そして、給水槽１８の水位が上昇し、水が給気管２０の下端部２０ａの開口部を閉鎖すると、貯水用空間１４への給気が停止する。そして、栽培容器４０ａ，４０ｂ，４０ｃのいずれもが、給水ヒモ３５の毛細管現象を利用して栽培用空間４３の土壌４４に水を給水し、貯水槽４２の水位が低下すると、給水管２３ａ，２３ｂ，２３ｃを介して水が栽培容器４０ａ，４０ｂ，４０ｃの各貯水槽４２にそれぞれ給水される。そして、給水槽１８の水位が低下して給気管２０の下端部２０ａが露出すると、前記下端部２０ａから空気が貯水用空間１４内に流入し、貯水用空間１４内の内気圧と外気圧とがバランスを保つまで、貯水用空間１４内の水２１が給水槽１８に流入し、前記下端部２０ａを閉鎖することにより、水２１の流入が停止する。そして、給水槽１８から給水管２３ａ，２３ｂ，２３ｃを介して水２１が栽培容器４０ａ，４０ｂ，４０ｃの各貯水槽４２に給水される。以後、同様な水位調整を自動的に繰り返すことにより、栽培容器４０ａ，４０ｂ，４０ｃの栽培用空間４３の土壌４４に長期間、自動的に給水できる。
【００４３】
なお、第５実施形態では、空気管２４および給水管２３ａに開閉弁をそれぞれ設けておいてもよい。これは、貯水用空間１４内に水を補給する間に、給水槽１８から水が溢れ出ないようにするためである。
【００４４】
第６実施形態は、図７ないし図８に示すように、装置本体１０の蓋体１６を着脱可能とした場合である。
すなわち、前記装置本体１０は、底板１１に外枠１２を一体化して貯水用空間１４を形成するとともに、前記貯水用空間１４の上方を着脱可能な蓋体１６で密封してある。さらに、前記貯水用空間１４の底面に設けた円柱状隔壁１９によって給水槽１８が前記貯水用空間１４から仕切られている。そして、前記円柱状隔壁１９の下方側に設けた排水孔１９ａ（図８Ｂ）には給水管２３の一端が挿入されている一方、その他端が外枠１２の排水孔１２ｃを介して図示しない栽培容器に接続されている。また、前記円柱状隔壁１９の排水孔１９ａよりも一段高い位置に給気孔１９ｂ（図８Ａ）が設けられ、これに給気管２０の下端部２０ａが挿入されている一方、その他端部２０ｂが貯水用空間１４の上方で開口している。さらに、前記円柱状隔壁１９の給気孔１９ｂよりも低い位置に給水孔１９ｃ（図８Ａ）が形成されている。また、前記給水槽１８は前記円柱状隔壁１９によって前記貯水用空間１４から仕切られているが、空気管２４を介して外気と連通している。
【００４５】
そして、図９に示すように、空気管２４にゴム栓２４ｂで給水槽１８を密封した後、貯水用空間１４に所定量の水２１を注入し、ついで、蓋体１６で貯水用空間１４を密封する。
【００４６】
次に、図１０Ａ，１０Ｂに示すように、ゴム栓２４ｂを外して空気管２４を開放すると、貯水用空間１４に蓄えられた水２１は前記円柱状隔壁１９の給水孔１９ｃを介して給水槽１８に供給されるとともに、前記給水管２３を介して図示しない栽培容器に供給される。さらに、給水槽１８の水位が上昇し、水が給気管２０の下端部２０ａの開口部を閉鎖すると、貯水用空間１４への給気が停止する。そして、前記栽培容器における水の消費によって貯水槽の水位が低下すると、前記給水槽１８から給水管２３を介して水２１が栽培容器の貯水槽に給水される。このため、給水槽１８の水位が低下して給気管２０の下端部２０ａが露出すると、前記下端部２０ａから空気が貯水用空間１４内に流入し、貯水用空間１４内の内気圧と外気圧とがバランスを保つまで、貯水用空間１４内の水２１が給水槽１８に流入する。この結果、前記下端部２０ａの開口を閉鎖するまで水２１が給水槽１８に流入し、前記下端部２０ａを閉鎖することにより、水２１の流入が停止する。以後、同様な水位調整を自動的に繰り返すことにより、栽培容器に長期間、自動的に給水できる。
【００４７】
第７実施形態は、図１１に示すように、前述の第４実施形態とほぼ同様であり、異なる点は給気管を配置しない点である。したがって、給水槽１８内の水位が低下し、水面から給気孔１２ａが露出すると、空気が気泡となって貯水用空間１４内に侵入して内気圧のバランスが崩れる。このため、貯水槽用空間１４内の水が給水孔１２ｂを介して給水槽１８内に流入し、水位を高くして給気孔１２ａを塞ぐことにより、水の流入が停止し、常に水位が一定に保持される。他は前述の第４実施形態とほぼ同様であるので、同一部分には同一番号を附して説明を省略する。
【００４８】
第８実施形態は、図１２に示すように、前述の第５実施形態とほぼ同様であり、異なる点は給気管を配置しない点である。本実施形態によれば、給水槽１８内の水位が低下して給気孔１９ｂが露出すると、給水槽１８の隔壁１９に設けた給気孔１９ｂから空気が気泡となって貯水用空間１４に流入して内気圧のバランスを崩す。このため、給水孔１９ｃから給水槽１８内に水が流入して水位を上昇させ、前記給気孔子１９ｂを塞ぐことにより、水の流入が停止し、常に水位が一定に保持される。他は前述の第５実施形態とほぼ同様であるので、同一部分には同一番号を附して説明を省略する。
【００４９】
第９実施形態は、図１３に示すように、前述の第６実施形態とほぼ同様であり、異なる点は給気管を配置しない点である。本実施形態によれば、円柱状隔壁１９に給気管を配置しない場合である。したがって、本実施形態によれば、円柱状隔壁１９内水位が低下して水面から給気孔１９ｂが露出すると、空気が給気管１９ｂから気泡となって貯水用空間１４内に流入する。このため、給水孔１９ｃから給水槽１８内に水が流入して水位を上昇させ、前記給気孔子１９ｂを塞ぐことにより、水の流入が停止し、常に水位が一定に保持される。他は前述の第６実施形態とほぼ同様であるので、同一部分には同一番号を附して説明を省略する。
【００５０】
前述の第７、第８および第９実施形態によれば、いずれも給気管を配置しないので、部品点数、組立工数が減少するとともに、動作不良となるおそれが少なくなるという利点がある。また、給気孔１９ｂの大きさは必要に応じて適宜選択すればよく、通常、直径３ないし１０ｍｍが好ましい。
【００５１】
なお、前述の実施形態における前記空気管２４はゴム栓２４ｂで封止してもよいが、第４実施形態のように開閉弁を取り付けておいてもよい。
また、栽培容器は、第４，第７実施形態のように放射状に配置するだけでなく、直列状に配置してもよく、特に限定するものではない。
【００５２】
さらに、前述の実施形態においては、貯水用空間の両側あるいは周囲に栽培用空間を配置してもよい。
そして、前述の実施形態においては、複数本の給水ヒモを適宜使用してもよい。さらに、前記給水ヒモは、不織布を巻いたものに限らず、例えば、ガラス繊維を束ねたものであってもよい。特に、第４ないし第９実施形態においては、装置本体１０だけを独立した自動給水装置としても使用できる。
【実施例１】
【００５３】
図１で示した第１実施形態に準じた形状で、外枠の巾１８ｃｍ、長さ３０ｃｍ、高さ２０ｃｍ、貯水用空間の奥行１０ｃｍ、そして、外枠の開口部から底上げ面まで深さ１４．５ｃｍの栽培用空間内に赤玉土１．０ｋｇ、腐養土１．６ｋｇを順次投入し、栽培植物として菊（０．３ｋｇ）を植えるとともに、貯水用空間内に４．１ｋｇの水を注入した。そして、７月下旬から８月下旬の約１ヶ月間、屋外に設置して観察した。その間、１０日おきに貯水用空間内に水を補給した。なお、７月下旬から８月下旬までの間の最高気温３２．２℃、最低気温２４．６℃、月平均気温は２７．９℃であった。
約１ヶ月の観察の結果、栽培植物は順調に成育し、開花することを確認できた。
【実施例２】
【００５４】
図２および３で示した第２実施形態に準じた形状で、外枠の巾３２ｃｍ、長さ３２ｃｍ、高さ１９ｃｍ、内枠の巾２５．５ｃｍ、長さ２５．５ｃｍ、貯水用空間の巾２．７ｃｍ、そして、外枠の開口部から底上げ面まで深さ１２ｃｍの栽培用空間内に赤玉土１．５ｋｇ、腐養土２．８５ｋｇを順次投入し、栽培植物としてマリーゴールド（０．５ｋｇ）を植えるとともに、貯水用空間内に５．２ｋｇの水を注入した。そして、前述の実施例１と同一環境下で観察した。
約１ヶ月の観察の結果、栽培植物は順調に成育し、開花することを確認できた。
【実施例３】
【００５５】
図４で示した第３実施形態に準じた形状で、すり鉢状の外枠の外径は２４ｃｍ、高さ１５ｃｍ、すり鉢状の仕切壁の内径１７ｃｍ、そして、開口部から底上げ面まで深さ９ｃｍの栽培用空間内に赤玉土０．８ｋｇ、腐養土１．４ｋｇを順次投入し、栽培植物としてハイビスカス（０．５ｋｇ）を植えるとともに、貯水用空間内に水４．０ｋｇを注入した。そして、実施例１と同一環境下で観察した。
約１ヶ月の観察の結果、植物は順調に成育し、開花することを確認できた。
【００５６】
特に、実施例１，２，３によれば、約１０日に一度の割合で水を補給すればよいことを確認できたことから、毎日の給水作業を節約できるということが明らかとなった。
【産業上の利用可能性】
【００５７】
本発明にかかる自動給水機能付き栽培装置は、草花だけでなく、植木にも適用できるものである。
【図面の簡単な説明】
【００５８】
【図１】本発明にかかる自動給水機能付き栽培装置の第１実施形態を示す縦断面図である。
【図２】本発明にかかる自動給水機能付き栽培装置の第２実施形態を示す分解斜視図である。
【図３】図２で示した第２実施形態の断面図である。
【図４】本発明にかかる自動給水機能付き栽培装置の第３実施形態を示す縦断面図である。
【図５】本発明にかかる自動給水機能付き栽培装置の第４実施形態を示す断面図である。
【図６】本発明にかかる自動給水機能付き栽培装置の第５実施形態を示す断面図である。
【図７】本発明にかかる自動給水機能付き栽培装置の第６実施形態の一部を示す分解斜視図である。
【図８】図８Ａおよび図８Ｂは図７で示した第６実施形態の側面断面図および正面断面図である。
【図９】図７に示した第６実施形態の使用方法を説明するための分解断面図である。
【図１０】図１０Ａ，１０Ｂは第６実施形態の使用状態を示す断面図である。
【図１１】本発明にかかる第７実施形態の断面図である。
【図１２】本発明にかかる第８実施形態の断面図である。
【図１３】本発明にかかる第９実施形態の断面図である。
【符号の説明】
【００５９】
１０：装置本体
１１：底板
１２：外枠
１２ａ：給気孔
１２ｂ：給水孔
１３：仕切壁
１３ａ：給気孔
１３ｂ：給水孔
１３ｃ：膨出部
１４：貯水用空間
１５：栽培用空間
１６：蓋体
１７：幕板
１８：給水槽
１９：隔壁
１９ａ：排水孔
１９ｂ：給気孔
１９ｃ：給水孔
２０：給気管
２１：水
２３：給水管
２３ａ，ｂ，ｃ：給水管
２４：空気管
２４ａ：開閉弁
２４ｂ：ゴム栓
３０：底上げ板
３１：脚板
３５：給水ヒモ
３６：不透水性樹脂フィルム
３９：栽培用土壌
４０：栽培容器
４１：仕切板
４２：貯水槽
４３：栽培用空間
４４：栽培用土壌
【図１】
2006197946.tif 000003
【図２】
2006197946.tif 000004
【図３】
2006197946.tif 000005
【図４】
2006197946.tif 000006
【図５】
2006197946.tif 000007
【図６】
2006197946.tif 000008
【図７】
2006197946.tif 000009
【図８】
2006197946.tif 000010
【図９】
2006197946.tif 000011
【図１０】
2006197946.tif 000012
【図１１】
2006197946.tif 000013
【図１２】
2006197946.tif 000014
【図１３】
2006197946.tif 000015